(57)【要約】【課題】遊技盤を簡単に取付け・取外しでき、遊技盤の取付け・取外し作業が能率よく行え、遊技盤ががたつくことなくしっかりと取付固定される弾球遊技機を提供する。【解決手段】前枠２と該前枠２にその前側から取り付けられる遊技盤８とを備え、前枠２の所定位置に前方へ突出しかつ前端部外側に爪部２８を設けた複数の弾性係合片２９を有する固定体２５を設け、遊技盤８には固定体２５に対応位置して該固定体２５が挿通される取付孔２４を開設してなり、前枠２の前面に遊技盤８を配置すると共に固定体２５を取付孔２４に挿通して各弾性係合片２９の爪部２８を取付孔２４に係合し、前枠２と遊技盤８との間に介在され遊技盤８を常に前側へ付勢する弾発手段３０により遊技盤８を取付固定するようにした。【選択図】図４
2005095421.tif 000002
【特許請求の範囲】
【請求項１】
外枠に装着される前枠と該前枠にその前側から取り付けられる遊技盤とを備え、前記前枠の所定位置に前方へ突出しかつ前端部外側に爪部を設けた複数の弾性係合片を有する固定体を設け、遊技盤には前記固定体に対応位置して該固定体が挿通される取付孔を開設してなり、前記前枠の前面に前記遊技盤を配置すると共に前記固定体を前記取付孔に挿通して前記各弾性係合片の爪部を取付孔に係合し、前記前枠と前記遊技盤との間に介在され前記遊技盤を常に前側へ付勢する弾発手段により前記遊技盤を取付固定するようにしたことを特徴とする弾球遊技機。
【請求項２】
外枠に装着される前枠と該前枠にその前側から取り付けられる遊技盤とを備え、前記遊技盤の所定位置に後方へ突出する固定体を設け、前記前枠には前記固定体に対応位置して該固定体が挿通される取付孔を開設し、前記固定体は前記遊技盤に貫装されかつ後端部に縦断面くの字状の複数の弾性脚片がそれぞれ対向状に延設された筒状の固定部と該固定部内に進退自在に挿通され後端部に前進したとき前記各弾性脚片を外側へ拡開し得る頭部を有する可動部とからなり、前記前枠の前面に前記遊技盤を配置すると共に前記固定体を前記取付孔に挿通した状態で前記遊技盤の前側から可動部を前進させ拡開する各弾性脚片を前記取付孔に係合し、前記前枠と前記遊技盤との間に介在され前記遊技盤を常に前側へ付勢する弾発手段により前記遊技盤を取付固定するようにしたことを特徴とする弾球遊技機。
【発明の詳細な説明】
【技術分野】
【０００１】
本発明は、前枠に装着される外枠に遊技盤をその前側から着脱自在に取り付けられるようにした弾球遊技機に関するものである。
【背景技術】
【０００２】
従来、弾球遊技機の一種であるパチンコ遊技機にあっては、遊技盤を外枠に装着された前枠に次のようにして取り付けている。すなわち、前記前枠の開口面域裏側に合わせて保持枠が設けられ、該保持枠により遊技盤がセット開口域の前面側または裏面側から着脱可能にセットして保持されるようになっている。詳しくは、前記セット開口域の周囲所要部分に、遊技盤の着脱方向側で操作可能な施錠具をそれぞれ回動可能に嵌合すると共に抜止め手段で支持している。この施錠具は、回動用の操作部分および遊技盤に対する係脱用の施錠片を有し、セット開口域の下縁部分に遊技盤を縦向き状態で受け得る受け部が該遊技盤の着脱方向へ突出される。そして、遊技盤をセットするときは、受け部に一旦載せた後にセット開口域へ押込み、前記施錠具を所要方向へ回動させて固定するようにしている（例えば、特許文献１参照。）。
ところで、前記前枠の裏面には遊技盤の裏面を覆うようにして球タンク等の裏部品を装着した機構板が開閉自在に装着されている。そこで、遊技盤を前枠の後側から着脱する場合は一旦機構板を開けてからでないとできず、この手間を省くため、遊技盤は前枠の前側から着脱できるようにした方が好ましい。
【特許文献１】特開平９−２６２３５３号公報（第３−５頁、図１０、図１５）
【発明の開示】
【発明が解決しようとする課題】
【０００３】
しかしながら、前記特許文献１のパチンコ遊技機では、遊技盤を前枠にその前側から着脱できる構成を採っているものの、前枠の前面に遊技盤を配置した後、複数の施錠具を所要方向へ逐一回動させ施錠片を遊技盤の前面に係合させることにより遊技盤を取り付けるようにしている。また、各施錠具を前記方向とは逆方向へ逐一回動させ施錠片を遊技盤の前面から外すことにより遊技盤を取り外すようにしている。このため、遊技盤の取付け・取外しの際に複数の施錠具を回動させねばならず、取付け・取外し作業が未だ面倒であるという課題が有る。また、前記施錠片が撓んで押し付け力が弱まると遊技盤をしっかり固定することができず遊技盤ががたつくという危険性がある。
【０００４】
そこで、本発明は上記課題を解決すべくなされたもので、遊技盤を前枠にその前面から簡単に取付けまたは取外しできるようにして、遊技盤の取付け・取外し作業を能率よく行えるようにし、更には遊技盤ががたつくことなくしっかりと取付固定される弾球遊技機を提供することを目的とするものである。
【課題を解決するための手段】
【０００５】
かかる目的を達成するため請求項１記載の発明は、外枠に装着される前枠と該前枠にその前側から取り付けられる遊技盤とを備え、前記前枠の所定位置に前方へ突出しかつ前端部外側に爪部を設けた複数の弾性係合片を有する固定体を設け、遊技盤には前記固定体に対応位置して該固定体が挿通される取付孔を開設してなり、前記前枠の前面に前記遊技盤を配置すると共に前記固定体を前記取付孔に挿通して前記各弾性係合片の爪部を取付孔に係合し、前記前枠と前記遊技盤との間に介在され前記遊技盤を常に前側へ付勢する弾発手段により前記遊技盤を取付固定するようにした構成からなる。
【０００６】
また、請求項２記載の発明は、外枠に装着される前枠と該前枠にその前側から取り付けられる遊技盤とを備え、前記遊技盤の所定位置に後方へ突出する固定体を設け、前記前枠には前記固定体に対応位置して該固定体が挿通される取付孔を開設し、前記固定体は前記遊技盤に貫装されかつ後端部に縦断面くの字状の複数の弾性脚片がそれぞれ対向状に延設された筒状の固定部と該固定部内に進退自在に挿通され後端部に前進したとき前記各弾性脚片を外側へ拡開し得る頭部を有する可動部とからなり、前記前枠の前面に前記遊技盤を配置すると共に前記固定体を前記取付孔に挿通した状態で前記遊技盤の前側から可動部を前進させ拡開する各弾性脚片を前記取付孔に係合し、前記前枠と前記遊技盤との間に介在され前記遊技盤を常に前側へ付勢する弾発手段により前記遊技盤を取付固定するようにした構成からなる。
【発明の効果】
【０００７】
請求項１記載の発明にあっては、前枠の前面に遊技盤を配置すると共に固定体を取付孔に挿通して各弾性係合片の爪部を取付孔に係合し、遊技盤を常に前側へ付勢する弾発手段により遊技盤を取付固定するようにしたので、前枠の前面に押圧するのみで遊技盤が簡単に取付けられる。また、取付孔から爪部の係合を解くと固定体が抜脱され遊技盤が弾発手段により前方へ押し出されるので簡単に取外しできる。これにより、遊技盤の取付け・取外し作業が能率よく行えるという効果がある。更には、遊技盤が弾発手段により常に前側へ付勢されていることから、遊技盤ががたつくことなくしっかりと取付固定されるという効果がある。
【０００８】
また、請求項２記載の発明にあっては、前枠の前面に遊技盤を配置すると共に固定体を取付孔に挿通した状態で遊技盤の前側から可動部を前進させ拡開する各弾性脚片を取付孔に係合し、遊技盤を常に前側へ付勢する弾発手段により遊技盤を取付固定するようにしたので、遊技盤を前枠の前面に押圧して固定体を取付孔に挿通した状態で遊技盤の前側から可動部を前進させるのみで遊技盤が取付けられる。また、前記可動部を後退させると遊技盤が弾発手段により前方へ押し出されると共に取付孔から固定体を抜脱でき遊技盤が簡単に取外しできる。これにより、遊技盤の取付け・取外し作業が能率よく行えるという効果がある。更には、取付けられた遊技盤は弾発手段により常に前側へ付勢されていることから、遊技盤ががたつくことなくしっかりと取付固定されるという効果がある。
【発明を実施するための最良の形態】
【０００９】
以下、本発明に係る弾球遊技機の実施の形態を図面と共に説明する。なお、弾球遊技機にはパチンコ遊技機、アレンジボール機、雀球遊技機があるが、本発明にあってはその一例であるパチンコ遊技機について説明する。図１は、透明板保持枠と前板を開いた状態のパチンコ遊技機の斜視図、図２は同遊技盤を外したパチンコ遊技機の斜視図、図３は要部の拡大斜視図である。図において、１は縦長方形枠状に成形される木製の外枠であり、その前面の一側に軸着されて前枠２が回動自在に装着される。該前枠２は、上部にほぼ方形状の大きい開口３が開設され、下部前面の一側に発射レール４及びその下側に位置して発射レール４の発射部５に供給されるパチンコ球を打撃して発射する槌腕６等の発射装置７が装着されている。
【００１０】
そして、前記前枠２の前面にその前側から開口３下縁の棚部３ａの上面に載せるようにして遊技盤８が取り付けられることになる。遊技盤８の前面には、遊技部８ａを囲うようにして内側ガイドレール９ａと外側ガイドレール９ｂとが渦巻状に敷設される。この遊技部８ａには、その中央に表示部１０ａを有する可変表示装置１０が配置される。また、該可変表示装置１０の下方にはパチンコ球が入賞することにより、可変表示装置１０の表示部１０ａに表示される数字、記号を変動表示させる始動入賞口１１が設けられる。更に、その下方に前記変動した表示が一定の時間経過後に停止して特定の表示（例えば「７７７」）を示し、遊技者にとって有利な特別遊技状態になったとき、一定の条件の下で開閉扉１２を所定回数開成させ一度に多くの入賞球が得られるようにした入賞装置１３が配設されている。更にまた、遊技部８ａの適宜位置に一般入賞口１４や風車１５等の盤面部品が配置されている。
【００１１】
前枠２の上部前面には、透明板保持枠１６及びその下側に位置して前板１７が開閉自在に軸着され、更にその下方に下部板１８が開閉自在に軸着されている。前記透明板保持枠１６は遊技盤８の遊技部８ａが臨む窓口１９が開設され、該窓口１９には透明板である２枚のガラス板２０が装着される。前板１７の前面には前記発射部５へパチンコ球を供給すための打球供給皿（図示せず。）が設けられ、下部板１８の前面には打球供給皿から溢れるパチンコ球を貯留する余剰球貯留皿２１が設けられると共にその一側に前記槌腕６の打球力を調節するための操作ハンドル２２が設けられている。
【００１２】
本発明にあっては、図４に示すように前記前枠２の開口３の外側四隅部に螺子孔２３が開設され、これらと対向位置して遊技盤８には取付孔２４が開設される。そして、前記各螺子孔２３に遊技盤８を取付固定するための固定体２５が螺装される。固定体２５は、合成樹脂材により成形され、前記螺子孔２３より大径の鍔部２６の後側に該螺子孔２３に螺合する螺子部２７が設けられ、鍔部２６の前側に前方へ突出しかつ前端部外側に爪部２８を設けた２個の弾性係合片２９，２９が対向位置して設けられる。前記各爪部２８は先端に向かって外側面が窄まり基端面は固定体２５の中心軸線に対しほぼ直交するようになっており、この基端面が遊技盤８前面の各取付孔２４の周縁部位に当接することになる。また、固定体２５には弾発手段としての圧縮コイルバネ３０が外装されると共にその前側に取付孔２４より大径の環状体３１が嵌装される。この環状体３１は、固定体２５に嵌装した状態では各弾性係合片２９が共に内側へ撓まない限り各爪部２８に係止されて抜脱し得ないようになっている。これにより、常態では固定体２５に外装される圧縮コイルバネ３０が無用に外れることはない。
【００１３】
本発明は上記構成からなり、次に遊技盤８の取付け・取外し方法について説明する。まず、前記各螺子孔２３に圧縮コイルバネ３０と環状体３１を外装した固定体２５を螺着して２個の弾性係合片２９，２９を前側へ突設させる。次に、図５に示すように前枠２の前面であって棚部３ａ上面に載せて遊技盤８を配置すると共に各固定体２５を前記取付孔２４に合致した状態で、遊技盤８を後方、すなわち前枠２側へ押圧する。これにより、図６（イ）に示すように各爪部２８が内側へ窄められ取付孔２４を通過した状態で図６（ロ）に示すように開き各爪部２８が取付孔２４に係合する。同時に遊技盤８は、前枠２と遊技盤８との間に介在される圧縮コイルバネ３０により常に前側へ付勢されて取り付られる。この際、前記各爪部２８は遊技盤８の位置決めの働きも兼用する。
【００１４】
このように、前枠２の前面に遊技盤８を配置すると共に固定体２５を取付孔２４に挿通して遊技盤８を前枠２の前面に押圧するのみで、各弾性係合片２９の爪部２８が取付孔２４に係合して遊技盤８が取付固定されるので、遊技盤８が簡単に取付けられることになる。また、取付孔２４から爪部２８の係合を解くと固定体２５が抜脱され遊技盤８が圧縮コイルバネ３０により前方へ押し出されるので、遊技盤８が簡単に取外しできる。更に、取付けられた状態では、遊技盤８が圧縮コイルバネ３０により常に前側へ付勢されていることから、遊技盤８ががたつくことなくしっかりと取付固定される。
【００１５】
次に、他の実施の形態の弾球遊技機について説明する。この弾球遊技機は、前記弾球遊技機と構成がほとんど同じなので、主要な部分のみ示し他の共通部分は同一符号を付し説明および図示は省略する。
【００１６】
他の実施の形態に係る弾球遊技機では、図７（イ）（ロ）に示すように前枠２の開口３の外側四隅部に取付孔３２が開設され、これらと対向位置して遊技盤８には支持孔３３が開設される。そして、各支持孔３３に後方へ突出する固定体３４が挿通して固定される。固定体３４は、前記と同様に合成樹脂材から成形され、外側の固定部３４ａと該固定部３４ａ内に進退自在に挿通される可動部３４ｂとから構成されている。固定部３４ａは、筒状本体３５の前端部に支持孔３３より大径の環状鍔部３６が設けられると共に後端部に縦断面くの字状の複数の弾性脚片３７がそれぞれ対向状に延設されている。各弾性脚片３７は常態ではその外径が筒状本体３５の外径とほぼ同じになっているが、内部から押し開くことにより外側へ拡開して外径が大きくなるようになっている。
【００１７】
可動部３４ｂは、軸杆３８の前端部に固定部３４ａの内径より大きい外径を有する操作ボタン部３９が設けられ、軸杆３８の後端部に前記各弾性脚片３７を内側から拡開するための頭部４０を有している。そこで、可動部３４ｂは図７（イ）に示すように後退すなわち前方へ突出したとき、各弾性脚片３７は頭部４０が接触することなく窄んでおり、取付孔３２に挿通できる外径になっている。一方、可動部３４ｂが図７（ロ）に示すように前進すなわち後方へ突出したとき、頭部４０が各弾性脚片３７を外側へ拡開してその外径が取付孔３２の内径よりも大きくなり、挿通された固定体３４が取付孔３２から抜脱できないようになっている。
【００１８】
このような固定体３４も、前記と同様に圧縮コイルバネ３０が外装されると共にその前側に支持孔３３より大きい外形を有する環状体３１が嵌装される。また、常態における弾性脚片３７の外径よりも圧縮コイルバネ３０の内径の方がやや短く設定され、固定体３４に外装される圧縮コイルバネ３０が容易に後側から抜け落ちないようになっている。
【００１９】
他の実施の形態に係る弾球遊技機では、遊技盤８の各支持孔３３に固定体３４が貫装される。そして、図７（イ）に示すように各可動部３４ｂを後退させた状態で前枠２の前面の棚部３ａ上面に遊技盤８を配置すると共に遊技盤８を後方、すなわち前枠２側へ押圧して前記各固定体３４を前記各取付孔３２に挿通する。次に、前記遊技盤８の前側から可動部３４ｂを前進させ拡開する各弾性脚片３７を前記取付孔３２に係合させる。これにより、図７（ロ）に示すように各弾性脚片３７が外側へ拡開され、しかも、圧縮コイルバネ３０により固定体３４が前方へ引き出され各弾性脚片３７が取付孔３２に係合して遊技盤８が取付固定される。
【００２０】
このように、前枠２の前面に遊技盤８を配置し、遊技盤８の後側へ突出する固定体３４を取付孔３２に挿通すると共に各弾性脚片３７を拡開して取付孔３２に係合するのみで遊技盤８が取付固定されるので、遊技盤８が簡単に取付けられることになる。また、遊技盤８の前側から操作ボタン部３９を前側へ引くと各取付孔３２から弾性脚片３７の係合が解かれ遊技盤８が圧縮コイルバネ３０により前方へ押し出されると共に固定体３４が抜脱できて遊技盤８が簡単に取外しできる。更に、この場合も取付けた状態では、遊技盤８が圧縮コイルバネ３０により常に前側へ付勢されていることから、遊技盤８ががたつくことなくしっかりと取付固定される。
【００２１】
なお、いずれの場合も、固定体２５，３４に圧縮コイルバネ３０を巻装したが、遊技盤８と前枠２との間で遊技盤８を前方へ押圧する個所であれば他の場所でも良く、弾発手段としては板バネまたは皿バネであっても良い。また、前枠２または遊技盤８の四隅部に固定体２５，３４を設けるようにしたが、例えば前枠２の開口３の下縁に遊技盤８が嵌り込む溝部（図示せず。）を設け、該溝部に遊技盤８の下縁を嵌入させ、前枠２または遊技盤８上部の左右二箇所のみに固定体２５，３４を設けるようにしても良い。
【図面の簡単な説明】
【００２２】
【図１】透明板保持枠と前板を開いた状態のパチンコ遊技機の斜視図。
【図２】同遊技盤を外したパチンコ遊技機の斜視図。
【図３】遊技盤を装着した状態のパチンコ遊技機の要部の斜視図。
【図４】同要部の分解斜視図。
【図５】パチンコ遊技機の上部の縦断面図。
【図６】（イ）（ロ）作用を示す要部の平面断面図。
【図７】（イ）（ロ）他の実施の形態に係る作用を示す要部の平面断面図。
【符号の説明】
【００２３】
１      外枠
２      前枠
８      遊技盤
２４    取付孔
２５    固定体
２８    爪部
２９    弾性係合片
３０    圧縮コイルバネ
３２    取付孔
３４    固定体
３４ａ  固定部
３４ｂ  可動部
３７    弾性脚片
４０    頭部
【図１】
2005095421.tif 000003
【図２】
2005095421.tif 000004
【図３】
2005095421.tif 000005
【図４】
2005095421.tif 000006
【図５】
2005095421.tif 000007
【図６】
2005095421.tif 000008
【図７】
2005095421.tif 000009